(57)【特許請求の範囲】
【請求項１】
第１面生地の裏面側の中央部に第１面生地の幅方向に沿って第１中央隔壁生地を配設して第１中央隔壁生地の第１縫代を第１面生地に縫い付け、第１面生地の裏面側の中央部に前記第１中央隔壁生地に対向させて第２中央隔壁生地を配設して第２中央隔壁生地の第１縫代を第１面生地に縫い付け、第１面生地の裏面側の一端部に前記第１中央隔壁生地及び第２中央隔壁生地と直交方向に第１側隔壁生地を配設して第１側隔壁生地の第１縫代を第１面生地に縫い付け、第１面生地の他端部には第１側隔壁生地と対向して第２側隔壁生地を配設して第２側隔壁生地の第１縫代を第１面生地に縫い付け、前記第１面生地の外縁にマチ側面生地を配設してマチ側面生地の第１縫代を第１面生地の外縁部に設けられた縫代に縫い付け、第２面生地の裏面側の中央部に前記第１中央隔壁生地の第２縫代を縫い付け、第２面生地の裏面側の中央部に前記第２中央隔壁生地の第２縫代を縫い付け、第２面生地の裏面側の一端部に前記第１側隔壁生地の第２縫代を縫い付け、第２面生地の他端部に前記第２側隔壁生地の第２縫代を縫い付け、前記第１中央隔壁生地の折曲縫代を第１側隔壁生地及び第２側隔壁生地に縫い付け、前記第２中央隔壁生地の折曲縫代を第１側隔壁生地及び第２側隔壁生地に縫い付け、前記第１側隔壁生地の両端部に設けられた折曲縫代をマチ側面生地の第２マチ側面部と第４マチ側面部に縫い付け、前記第２側隔壁生地の両端部に設けられた折曲縫代をマチ側面生地の第２マチ側面部と第４マチ側面部に縫い付け、第２面生地の外縁部に設けられた縫代とマチ側面生地の第２縫代とは第１側室と対応する部分で第１側室用開口部を設けるように縫い付け、第１頚椎支持室と対応する部分で第１頚椎支持室用開口部を設けるように縫い付け、第２側室と対応する部分で第２側室用開口部を設けるように縫い付け、第２頚椎支持室と対応する部分で第２頚椎支持室用開口部を設けるように縫い付け、第１中央隔壁生地又は第２中央隔壁生地に形成された後頭部支持室用開口部から後頭部支持室に芯材を充填した後に後頭部支持室用開口部を縫って閉じて後頭部支持部を形成し、前記第１側室用開口部から第１側室に芯材を充填した後に第１側室用開口部を縫って閉じて第１側部を形成し、前記第１頚椎支持室開口部から第１頚椎支持室に芯材を充填した後に第１頚椎支持室開口部を縫って閉じて第１頚椎支持部を形成し、前記第２側室用開口部から第２側室に芯材を充填した後に第２側室用開口部を縫って閉じて第２側部を形成し、前記第２頚椎支持室用開口部から第２頚椎支持室に芯材を充填した後に第２頚椎支持室用開口部を縫って閉じて第２頚椎支持部を形成することにより立体縫製枕を製造することを特徴とする立体縫製枕の製造方法。
【請求項２】
前記第１中央隔壁生地と第２中央隔壁生地を平面視く字形状にしたことを特徴とする請求項１記載の立体縫製枕の製造方法。
【発明の詳細な説明】
【０００１】
【発明の属する技術分野】
本発明は、立体縫製枕の製造方法に関する。
【０００２】
【従来の技術】
枕の枕ケースに充填される羽毛等の芯材が枕の使用により枕ケース内を自由に動いてしまうのを防止するために直接枕ケースの内部を複数の室に区画して、室毎に芯材を充填して芯材が枕ケース内を移動するのを防止できる枕が提案されている。
しかし、このタイプの枕の枕ケースは枕ケースの上面生地と下面生地をミシン等で直接縫い付けることにより枕ケース内に複数の室を区画形成している。
このため、前記上面生地と下面生地をミシン等で直接縫って室を形成するため、室を形成すべく糸で縫った部分が大きく窪んで大きな窪み部ができ、この大きな窪み部に頭部や顔部が当接すると肌触りが悪く、違和感を覚えたり寝心地が悪くなるという不具合がある。
【０００３】
【発明が解決しようとする課題】
本発明は上記事実に鑑みなされたものであり、枕ケースの内部に複数の室を形成しても枕ケースに大きな窪み部ができたりせずに肌触り、寝心地が良くて、しかも斬新な印象を与えることができる立体縫製枕を製造する立体縫製枕の製造方法を提供することである。
【０００４】
【課題を解決するための手段】
請求項１の発明は、第１面生地の裏面側の中央部に第１面生地の幅方向に沿って第１中央隔壁生地を配設して第１中央隔壁生地の第１縫代を第１面生地に縫い付け、第１面生地の裏面側の中央部に前記第１中央隔壁生地に対向させて第２中央隔壁生地を配設して第２中央隔壁生地の第１縫代を第１面生地に縫い付け、第１面生地の裏面側の一端部に前記第１中央隔壁生地及び第２中央隔壁生地と直交方向に第１側隔壁生地を配設して第１側隔壁生地の第１縫代を第１面生地に縫い付け、第１面生地の他端部には第１側隔壁生地と対向して第２側隔壁生地を配設して第２側隔壁生地の第１縫代を第１面生地に縫い付け、前記第１面生地の外縁にマチ側面生地を配設してマチ側面生地の第１縫代を第１面生地の外縁部に設けられた縫代に縫い付け、第２面生地の裏面側の中央部に前記第１中央隔壁生地の第２縫代を縫い付け、第２面生地の裏面側の中央部に前記第２中央隔壁生地の第２縫代を縫い付け、第２面生地の裏面側の一端部に前記第１側隔壁生地の第２縫代を縫い付け、第２面生地の他端部に前記第２側隔壁生地の第２縫代を縫い付け、前記第１中央隔壁生地の折曲縫代を第１側隔壁生地及び第２側隔壁生地に縫い付け、前記第２中央隔壁生地の折曲縫代を第１側隔壁生地及び第２側隔壁生地に縫い付け、前記第１側隔壁生地の両端部に設けられた折曲縫代をマチ側面生地の第２マチ側面部と第４マチ側面部に縫い付け、前記第２側隔壁生地の両端部に設けられた折曲縫代をマチ側面生地の第２マチ側面部と第４マチ側面部に縫い付け、第２面生地の外縁部に設けられた縫代とマチ側面生地の第２縫代とは第１側室と対応する部分で第１側室用開口部を設けるように縫い付け、第１頚椎支持室と対応する部分で第１頚椎支持室用開口部を設けるように縫い付け、第２側室と対応する部分で第２側室用開口部を設けるように縫い付け、第２頚椎支持室と対応する部分で第２頚椎支持室用開口部を設けるように縫い付け、第１中央隔壁生地又は第２中央隔壁生地に形成された後頭部支持室用開口部から後頭部支持室に芯材を充填した後に後頭部支持室用開口部を縫って閉じて後頭部支持部を形成し、前記第１側室用開口部から第１側室に芯材を充填した後に第１側室用開口部を縫って閉じて第１側部を形成し、前記第１頚椎支持室開口部から第１頚椎支持室に芯材を充填した後に第１頚椎支持室開口部を縫って閉じて第１頚椎支持部を形成し、前記第２側室用開口部から第２側室に芯材を充填した後に第２側室用開口部を縫って閉じて第２側部を形成し、前記第２頚椎支持室用開口部から第２頚椎支持室に芯材を充填した後に第２頚椎支持室用開口部を縫って閉じて第２頚椎支持部を形成することにより立体縫製枕を製造することを特徴としている。
請求項２の発明は、前記第１中央隔壁生地と第２中央隔壁生地を平面視く字形状にしたことを特徴としている。
【０００５】
【発明の実施の形態】
図１〜図７には本発明に係る立体縫製枕の一実施例が示されている。
図１に示されるように、立体縫製枕１０の枕ケース１２は適宜素材の布地で平面視矩形状に形成されている。なお、図２に示されるように、この実施例では立体製造枕１０を使用する場合、枕ケース１２の第１面生地としての上面生地１４が上に位置し、第２面生地としての下面生地１６が下に位置するようになっている。
この枕ケース１２を構成する平面視矩形状の上面生地１４と下面生地１６の間には枕ケース１２の側面を構成する帯状のマチ側面生地１８が配設され、図６に示されるようにマチ側面生地１８の第１縫代としての上縫代１８Ａは前記上面生地１４の外縁部に設けられた縫代１４Ａに縫い付けられ、マチ側面生地１８の第２縫代としての下縫代１８Ｂは前記下面生地１６の外縁部に設けられた縫代１６Ａに縫い付けられている。
図１及び図２に示されるように、前記マチ側面生地１８は４ヶ所で折り曲げられることにより、第１マチ側面部２０、第２マチ側面部２２、第３マチ側面部２４、第４マチ側面部２６が形成されている。
図１に示されるように、前記枕ケース１２の幅方向（図１左右方向）の一端部には第１側隔壁生地３０が枕ケース１２の幅方向と直交する奥行方向（図１上下方向）に向って立設されている。
図６に示されるように、この第１側隔壁生地３０の第１縫代としての上縫代３０Ａは前記上面生地１４と縫い付けられ、第１側隔壁生地３０の第２縫代としての下縫代３０Ｂは前記下面生地１６に縫い付けられている。また、図７に示されるように、第１側隔壁生地３０の折曲縫代３０Ｃは前記マチ側面生地１８の第２マチ側面部２２に縫い付けられ、第１側隔壁生地３０の折曲縫代３０Ｄは前記マチ側面生地１８の第４マチ側面部２６に縫い付けられている。
図１に示されるように、前記枕ケース１２の幅方向の他端部には第２側隔壁生地３２が枕ケース１２の幅方向と直交する奥行方向に向かって立設されている。図６に示されるように、この第２側隔壁生地３２の第１縫代としての上縫代３２Ａは前記上面生地１４に縫い付けられ、第２側隔壁生地３２の第２縫代としての下縫代３２Ｂは前記下面生地１６に縫い付けられている。また、図７に示されるように、第２側隔壁生地３２の折曲縫代３２Ｃは前記マチ側面生地１８の第２マチ側面部２２に縫い付けられ、第２側隔壁生地３２の折曲縫代３２Ｄは前記マチ側面生地１８の第４マチ側面部２６に縫い付けられている。
図１に示されるように、前記枕ケース１２の内部に第１側隔壁生地３０と第２側隔壁生地３２を立設することにより、前記枕ケース１２の一端部には第１側部３４を形成する第１側室３４Ａが区画形成され、他端部には第２側部３６を形成する第２側室３６Ａが区画形成されている。
前記第１側隔壁生地３０と第２側隔壁生地３２の間で枕ケース１２の奥行方向手前側（図１下側）には平面視く字形状に第１中央隔壁生地４０が立設されている。図４に示されるように、この第１中央隔壁生地４０は隔壁形成上生地部４２の縫代４２Ａと隔壁形成下生地部４４の縫代４２Ａの両端部を縫い付けることにより形成されている。このため第１中央隔壁生地４０の中間部には後頭部支持室用開口部４６が形成されている（なお、図４には後頭部支持室用開口部４６を糸で縫って閉じた後の状態を示す）。従って、この後頭部支持室用開口部４６から後述する後頭部支持室に芯材を充填できるようになっている。
図５に示されるように、この第１中央隔壁生地４０の第１縫代としての上縫代４０Ａは前記上面生地１４に縫い付けられ、第２縫代としての下縫代４０Ｂは前記下側生地１６に縫い付けられている。また、第１中央隔壁生地４０の折曲縫代４０Ｃは前記第１側隔壁生地３０に縫い付けられ、折曲縫代４０Ｄは前記第２側隔壁生地３２に縫い付けられている。
図１に示されるように、前記第１側隔壁生地３０と第２側隔壁生地３２の間で枕ケース１２の奥行方向奥側（図１上側）には第１中央隔壁生地４０と対向して平面視く字形状に第２中央隔壁生地４８が立設されている。図５に示されるように、この第２中央隔壁生地４８の第１縫代としての上縫代４８Ａは前記上面生地１４に縫い付けられ、第２縫代としての下縫代４８Ｂは前記下面生地１６に縫い付けられている。また、第２中央隔壁生地４８の折曲縫代４８Ｃは第１側隔壁生地３０に縫い付けられ、折曲縫代４８Ｄは第２側隔壁生地３２に縫い付けられている。
図１に示されるように、第１側隔壁生地３０と第２側隔壁生地３２との間に前記第１中央隔壁生地４０と第２中央隔壁生地４８を立設することにより第１側部３４と第２側部３６の間には枕ケース１２の奥行方向手前側には第１頚椎支持部５０を形成する第１頚椎支持室５０Ａが区画形成されると共に枕ケース１２の奥行方向奥側には第２頚椎支持部５２を形成する第２頚椎支持室５２Ａが区画形成される。
また、前記第１頚椎支持室５０Ａと第２頚椎支持室５２Ａの間には平面視六角形状の後頭部支持部５４を形成する後頭部支持室５４Ａが区画形成される。
図２に示されるように、前記第１側室３４Ａと第２側室３６Ａと第１頚椎支持室５０Ａと第２頚椎支持室５２Ａと後頭部支持室５４Ａには芯材としての羽毛５６が充填されて立体縫製枕１０を立体形状にしている。しかも、図３に示されるように前記羽毛５６は前記第１側部３４と第２側部３６が一番高く形成され、第１頚椎支持部５０と第２頚椎支持部５２が次に高く形成され、後頭部支持部５４が一番低く形成されるように充填量を調節して充填されている。
【０００６】
前記立体縫製枕１０の作用について説明する。
枕使用者が前記立体縫製枕１０を使用する場合は首部を第１頚椎支持部５０又は第２頚椎支持部５２に対応させると共に後頭部を後頭部支持部５４に対応させて頭部を立体縫製枕１０に乗せる。
前記立体縫製枕１０の枕ケース１２の内部には第１側室３４Ａと第２側室３６Ａと第１頚椎支持室５０Ａと第２頚椎支持室５２Ａと後頭部支持室５４Ａが区画形成されているため立体縫製枕１０を長期間使用しても羽毛５６が移動して立体縫製枕１０が型崩れするようなことはない。
しかも、前記第１側室３４Ａ，第２側室３６Ａ，第１頚椎支持室５０Ａ，第２頚椎支持室５２Ａ，後頭部支持室５４Ａは立設された第１側隔壁生地３０、第２側隔壁生地３２と第１中央隔壁生地４０、第２中央隔壁生地４８によって区画形成されている。このため、前記枕ケース１２の内部に前記第１側室３４Ａ，第２側室３６Ａ，第１頚椎支持室５０Ａ，第２頚椎支持室５２Ａ，後頭部支持室５４Ａを区画形成しても枕ケース１２の上面生地１４又は下面生地１６には大きな窪み部ができないため肌触りが良く、寝心地も良い。
また、図２及び図３に示されるように、前記立体縫製枕１０の側面を構成するマチ側面生地１８の第１マチ側面部２０、第２マチ側面部２２、第３マチ側面部２４、第４マチ側面部２６は垂直状に立ち上がっているので、外観形状も従来の枕にないスッキリした斬新な印象を消費者に与えることができ、この結果、立体縫製枕１０の購買意欲を喚起させることができる。
【０００７】
次に、前記立体縫製枕１０の製造方法の一実施例を説明する。
立体縫製枕１０を製造する場合は、上面生地１４の裏面側の中央部に第１中央隔壁生地４０を平面視く字形状に配設して第１中央隔壁生地４０の上縫代４０Ａを上面生地１４に縫い付ける。同様に上面生地１４の裏面側の中央部に前記第１中央隔壁生地４０に対向させて第２中央隔壁生地４８を平面視く字形状に配設して第２中央隔壁生地４８の上縫代４８Ａを上面生地１４に縫い付ける。
次に、上面生地１４の裏面側の一端部に第１側隔壁生地３０を配設して第１側隔壁生地３０の上縫代３０Ａを前記上面生地１４に縫い付ける。また、上面生地１４の他端部には第２側隔壁生地３２を配設して第２側隔壁生地３２の上縫代３２Ａを前記上面生地１４に縫い付ける。
そして、前記上面生地１４の外縁に前記マチ側面生地１８を配設してマチ側面生地１８の上縫代１８Ａを上面生地１４の外縁部に形成された縫代１４Ａに縫い付ける。
次に、下面生地１６の裏面側の中間部に前記第１中央隔壁生地４０を配設して第１中央隔壁生地４０の下縫代４０Ｂを下面生地１６に縫い付ける。同様に下面生地１６の裏面側の中央部に前記第１中央隔壁生地４０に対向させた状態で前記第２中央隔壁生地４８の下縫代４８Ｂを下面生地１６に縫い付ける。
次に、下面生地１６の裏面側の一端部に第１側隔壁生地３０を配設して第１側隔壁生地３０の下縫代３０Ｂを前記下面生地１６に縫い付ける。また、下面生地１６の他端部には第２側隔壁生地３２を配設して第２側隔壁生地３２の下縫代３２Ｂを前記下面生地１６に縫い付ける。
そして、前記第１中央隔壁生地４０の折曲縫代４０Ｃを第１側隔壁生地３０に縫い付け、折曲縫代４０Ｄを第２側隔壁生地３２に縫い付ける。同様に前記第２中央隔壁生地４８の折曲縫代４８Ｃを第１側隔壁生地３０に縫い付け、折曲縫代４８Ｄを第２側隔壁生地３２に縫い付ける。
次に、前記第１側隔壁生地３０の折曲縫代３０Ｃをマチ側面生地１８の第２マチ側面部２２に縫い付け、折曲縫代３０Ｄをマチ側面生地１８の第４マチ側面部２６に縫い付ける。また、同様に前記第２側隔壁生地３２の折曲縫代３２Ｃをマチ側面生地１８の第２マチ側面部２２に縫い付け、折曲縫代３２Ｄをマチ側面生地１８の第４マチ側面部２６に縫い付ける。
そして、下面生地１６の外縁部に形成された縫代１６Ａを前記マチ側面生地１８の下縫代１８Ｂに縫い付ける。なお、この時、前記第１側室３４Ａに対応する第１マチ側面部２０の中間部、第１頚椎支持室５０Ａに対応する第２マチ側面部２２の中間部、第２側室３６Ａに対応する第３マチ側面部２４の中間部、第２頚椎支持室５２Ａに対応する第４マチ側面部２６の中間部は前記縫代１６Ａと縫い付けないで、図５に示されるように、それぞれ第１側室用開口部２０Ａ，第１頚椎支持室用開口部２２Ａ，第２側室用開口部２４Ａ，第２頚椎支持室用開口部２６Ａを形成しておく。
そして、前記第１頚椎支持室５０Ａを介して第１中央隔壁生地４０に形成されている後頭部支持室用開口部４６から後頭部支持室５４Ａに羽毛５６を充填して後頭部支持室用開口部４６を縫い付けて閉じ後頭部支持部５４を形成する。
次に、第１マチ側面部２０に形成されている第１側室用開口部２０Ａから第１側室３４Ａに羽毛５６を充填して第１側室用開口部２０Ａを縫い付けて閉じ第１側部３４を形成し、第２マチ側面部２２に形成されている第１頚椎支持室用開口部２２Ａから第１頚椎支持室５０４Ａに羽毛５６を充填して第１頚椎支持室用開口部２２Ａを縫い付けて閉じ第１頚椎支持部５４を形成し、第３マチ側面部２４に形成されている第２側室用開口部２４Ａから第２側室３６Ａに羽毛５６を充填して第２側室用開口部２４Ａを縫い付けて閉じ第２側部３６を形成し、第４マチ側面部２６に形成されている第２頚椎支持室用開口部２６Ａから第２頚椎支持室５２Ａに羽毛５６を充填して第２頚椎支持室用開口部２６Ａを縫い付けて閉じ第２頚椎支持部５２を形成する。
なお、前記羽毛５６を充填する場合、羽毛５６の充填量は前記第１側部３４と第２側部３６が一番高くなり、次に第１頚椎支持部５０と第２頚椎支持部５２が高くなり、後頭部支持部５４が一番低くなるように充填量を調節する。
これにより、前記立体縫製枕１０が製造される。
【０００８】
なお、実施例の立体縫製枕の製造方法では上面生地１４から縫い付けたが、下面生地１６から縫い付けるようにしてもよいことは勿論である。
【０００９】
なお、実施例では立体縫製枕１０の後頭部支持室５４Ａを平面視六角形状に形成したが、後頭部支持室５４Ａの平面視形状は六角形形状に限定されるものではなく、例えば第１中央隔壁生地４０と第２中央隔壁生地４８を平面視直線状に立設することにより後頭部支持室５４Ａの平面視形状を矩形状に形成してもよいことは勿論である。
また、実施例では第１中央隔壁生地４０に後頭部支持室用開口部４６を形成したが、第１中央隔壁生地４０ではなく第２中央隔壁生地４８に後頭部支持室用開口部４６を形成するようにしてもよい。
【００１０】
なお、実施例の立体縫製枕１０においては枕ケース１２に充填される芯材として羽毛５６を用いたが、芯材は羽毛５６に限定されるものでなく、蕎麦殻、綿等他の素材でもよいことは勿論である。
【００１１】
【発明の効果】
本発明においては、枕ケースの内部は第１隔壁生地と第２隔壁生地と第１中央隔壁生地と第２中央隔壁生地を立設することにより区画形成したので、枕ケース内部を区画形成しても枕ケースの第１面生地や第２面生地が大きく窪まないため肌触りが良く、寝心地も良い立体縫製枕を製造できるという優れた効果を有する。
また、本発明においては、枕ケースの内部を複数の室に区画形成しても第１面生地や第２面生地に大きな窪み部ができず、また、枕ケースの側面が垂直状に立ち上がっているので今までの枕にないスッキリした斬新な印象を与えることができると共に消費者の購買意欲を喚起することができる立体縫製枕を製造できるという優れた効果を有する。
【図面の簡単な説明】
【図１】実施例の立体縫製枕の平面図である。
【図２】実施例の立体縫製枕の全体斜視図である。
【図３】実施例の立体縫製枕の正面図である。
【図４】実施例の立体縫製枕に用いられる第１中央隔壁生地の正面図である。
【図５】実施例の立体縫製枕の枕ケースの透視斜視図である。
【図６】実施例の立体縫製枕の枕ケースの断面図である。
【図７】実施例の立体縫製枕の枕ケースの断面図である。
【符号の説明】
１０    立体縫製枕
１２    枕ケース
１４    第１面生地
１６    第２面生地
１８    マチ側面生地
２０    第１マチ側面部
２２    第２マチ側面部
２４    第３マチ側面部
２６    第４マチ側面部
３０    第１側隔壁生地
３２    第２側隔壁生地
３４    第１側部
３４Ａ  第１側室
３６    第２側部
３６Ａ  第２側室
４０    第１中央隔壁生地
４８    第２中央隔壁生地
５０    第１頚椎支持部
５０Ａ  第１頚椎支持室
５２    第２頚椎支持部
５２Ａ  第２頚椎支持室
５４    後頭部支持部
５４Ａ  後頭部支持室
５６    羽毛
【図１】
0003575759.tif 000002
【図２】
0003575759.tif 000003
【図３】
0003575759.tif 000004
【図４】
0003575759.tif 000005
【図５】
0003575759.tif 000006
【図６】
0003575759.tif 000007
【図７】
0003575759.tif 000008